(57)【要約】      （修正有）【課題】雨戸等に用いられる単純構造の施錠具の屋外からの想定外操作による不正解錠を防止する為、簡単な仕組みで、且つ容易な操作により防犯機能の向上を図った２重ロック具の提供。【解決手段】既設の単純構造施錠具に対し、解錠ハンドルａ２の一動作による単純操作では解錠出来ない様に、解錠ハンドルａ２の解錠操作時の作動方向への作動を阻止するためのロック具ａ１を、解錠ハンドルａ２を拘束する形で取り付けることにより、２重ロック機能を付加した。【選択図】図１
2009215780.tif 000002
【特許請求の範囲】
【請求項１】
単一ロック機構等で比較的に単純構造の施錠具に用いる２重ロック具。
【発明の詳細な説明】
【技術分野】
【０００１】
本発明は、雨戸等に用いられる施錠具に関するもの。
【背景技術】
【０００２】
雨戸等に用いられる施錠具は、解錠時の照合機構を有しない単純構造のロック機構のものが多い。
この為、解錠は一動作による単純操作で容易に解錠出来るものとなっている。
簡単な操作で解錠出来る既存の施錠具は、屋内（室内）からの通常操作による施錠と解錠に対し、雨戸と家屋外壁面との隙間から棒状のもので、屋外から解錠操作する行為によっても解錠が可能なものが多い。
従来技術には、これら単純構造のロック機構に対し、２重ロックの設定は無い。然るに、屋外から想定外操作での解錠が比較的に容易であり、防犯上好ましくない状況下にあると言える。
【発明の開示】
【発明が解決しようとする課題】
【０００３】
解錠時の照合機構が無く、一動作の操作で解錠可能な施錠具のことを、以下「単純構造施錠具」と称する。
想定外操作での解錠のことを、以下「不正解錠」と称する。
単純構造施錠具に対する不正解錠を防止する為、簡単な仕組みで、且つ、容易な操作によって単純構造施錠具の防犯機能を向上させるべき課題がある。
【課題を解決するための手段】
【０００４】
単純構造施錠具において、解錠ハンドル、又は、解錠レバー（以下、解錠ハンドルと称する）の一動作による単純操作では解錠出来ない様に、解錠ハンドルを拘束するロック具を設け、２重ロック機能を付加するもの。
【発明の効果】
【０００５】
簡単な構造の２重ロック具を容易な操作で既存の単純構造施錠具に追加取付けすることで、不正解錠が防止出来る。
この２重ロック具の追加取付けによって、単純構造施錠具の防犯機能の向上が図られるという効果がある。
【発明を実施するための最良の形態】
【０００６】
単純構造施錠具の解錠ハンドルで、解錠操作時の作動方向に対し、その作動を阻止する形の金属片等を設ける。
その金属片等を「２重ロック具」と称する。
２重ロック具を既存の単純構造施錠具に追加取付けすることで、解錠ハンドルを動かなくする。
その結果、２重ロック具を取外さないかぎり同施錠具の解錠が出来ない状態を形成するものである。
【実施例１】
【０００７】
第１例、図１から図３に示すもので、ａ型とする。
主要な各名称は、ａ１：２重ロック具（ａ型）、ａ２：解錠ハンドル（ａ型）、ａ３：単純構造施錠具（ａ型）の施錠棒である。
ａ１：２重ロック具が、本発明品である。
ａ３：単純構造施錠具の施錠棒は（本体を含め）既設のものである。
図１は、本発明品の２重ロック具を既存の施錠具に追加取付けした状態を示すもので、ａ２：解錠ハンドルの解錠側への動きを阻止する形で取付けたものである。
ａ１：２重ロック具が解錠ハンドルの上方向から下方向へ挿入された状態を示す取付図（斜視図）である。
図２は、本発明品のａ１：２重ロック具の単体、正面図である。
図３は、同上の側面図である。
ａ型のａ１：２重ロック具の概念形状は「Ｕの字形に成形された板状のもの」である、手前上端は挿入時の持ち手部分である。
本例では板状の材料にて設定しているが、応用例として、樹脂材等によって「Ｕの字形全体をブロック状（塊の状態）で成形するもの」も本発明品とすることが出来る。
【実施例２】
【０００８】
第２例、図４から図６に示すもので、ｂ型とする。
主要な各名称は、ｂ１：２重ロック具（ｂ型）、ｂ２：解錠ハンドル（ｂ型）、ｂ３：単純構造施錠具（ｂ型）の施錠棒である。
ｂ１：２重ロック具が、本発明品である。
ｂ３：単純構造施錠具の施錠棒は（本体を含め）既設のものである。
図４は、本発明品の２重ロック具を既存の施錠具に追加取付けした状態を示すもので、ｂ２：解錠ハンドルの解錠側への動きを阻止する形で取付けたものである。
ｂ１：２重ロック具の円筒形内側面が、ｂ３：施錠具の施錠棒とｂ２：解錠ハンドルとの両外側に接しながら、上方向から下方向へ挿入された状態を示す取付図（斜視図）である。
図５は、本発明品のｂ１：２重ロック具の単体、斜視図である。
ｂ型のｂ１：２重ロック具の概念形状は「円筒形」である、施錠具側のｂ２：解錠ハンドルとの干渉を防ぐ為、円筒形の下部に切欠きを設けるなど、既存の施錠具に対応する形体を適宜設定したものである。
図６は、ｂ１−B：２重ロック具の応用例（斜視図）である。
ｂ１：２重ロック具の円筒形に対し「角筒形」の応用例で、角筒形の内側面の対面寸法は、既存施錠具のｂ３：施錠棒とｂ２：解錠ハンドルの両外側に接する状態に設定したものである。
【実施例３】
【０００９】
第３例、図７から図９に示すもので、ｃ型とする。
主要な各名称は、ｃ１：２重ロック具（ｃ型）、ｃ２：解錠ハンドル（ｃ型）、ｃ３：単純構造施錠具（ｃ型）の施錠棒である。
ｃ１：２重ロック具が、本発明品である。
ｃ３：単純構造施錠具の施錠棒は（本体を含め）既設のものである。
図７は、本発明品の２重ロック具を既存の施錠具に追加取付けした状態を示すもので、ｃ２：解錠ハンドルの解錠側への動きを阻止する形で取付けたものである。
ｃ１：２重ロック具の斜め長形両端の相対する内側面が、ｃ３：施錠具の施錠棒とｃ２：解錠ハンドルとを橋渡しする形で上方向から被せた状態を示す取付図（斜視図）である。
図８は、本発明品のｃ１：２重ロック具の単体、正面図である。
図９は、同上の側面図である。
ｃ型のｃ１：２重ロック具の概念形状は「長方形で下方が開放された、コの字形の箱状のもの」である。
この２重ロック具の長形両端の相対する内面間の寸法は、ｃ３：施錠具の施錠棒とｃ２：解錠ハンドルとの両外側に接する形で設定したものである。
又、２重ロック具の長形両端面の相対する面を僅かなＳ字（波形）の対象形にすることは、１．挿入の容易化、２．脱落防止、３．被取付け物間の寸法誤差の吸収、などの機能を持たせる為のものである。
【実施例４】
【００１０】
第４例、図１０から図１３に示すもので、ｄ型とする。
主要な各名称は、ｄ１：２重ロック具（ｄ型）、ｄ２−Ｒ：解錠ハンドル−右（ｄ型）、ｄ２−Ｌ：解錠ハンドル−左（ｄ型）、ｄ３：単純構造施錠具（ｄ型）の施錠棒である。
ｄ１：２重ロック具が、本発明品である。
ｄ３：単純構造施錠具の施錠棒は（本体を含め）既設のものである。
図１０は、既存の施錠具で、本発明品の２重ロック具の未装着状態を参考図として記載。
参考図記載の目的は、ｄ２−Ｒ／Ｌ：解錠ハンドル−右／左とｄ１：２重ロック具の関係を図１１との対比で明確化する為の参考図である。
図１１は、本発明品の２重ロック具を既存の施錠具に追加取付けした状態を示すもので、ｄ２−Ｒ：解錠ハンドル−右とｄ２−Ｌ：解錠ハンドル−左の解錠側への動きを阻止する形で取付けたものである。
ｄ１：２重ロック具の凹形の両外側面が、ｄ２−Ｒ／Ｌ：解錠ハンドル−右／左の間に介在する形で斜め上方向から挿入した状態を示す取付図（斜視図）である。
図１２は、本発明品のｄ１：２重ロック具の単体、斜視図である。
図１３は、同上で手前に９０度倒した状態での斜視図である。
ｄ型のｄ１：２重ロック具の概念形状は「両端にツバを持つ浅い凹形状のもの」である。
この２重ロック具の両端側面が、左右の解錠ハンドルを突っ張る形で両ハンドルの作動を阻止するものである。
図示は理解度を上げる為、基本形状を示しているが、２重ロック具の着脱を容易にする為、２重ロック具の中央部の手前上方向に突起片を設け、着脱時の「持ち手」の形成が望ましい（図示省略）
【産業上の利用可能性】
【００１１】
本発明は、雨戸等の防犯面での改善に有効なものである。
家屋への窓破り侵入を防止する為、窓枠、並びに、窓ガラスに対する防犯機材は、２重ロックシステム、ガラス補強フィルム、等々が一般にも提供されているが、雨戸等の不正解錠に対する配慮は気薄で、防犯機材もあまり見かけられない。
雨戸等の不正解錠が容易であれば、窓破り侵入につながりやすい。
防犯の為に先ずは雨戸等の不正解錠の防止を図る必要があるが、雨戸等の施錠具は操作の容易化が優先し、比較的簡単なロック機構が用いられている。
雨戸等の施錠具には２重ロックの考えが無いものが多く、これら既設の施錠具に対し、簡素で簡便な仕組みである本発明品の「後付の２重ロック具」の活用は防犯に寄与するものである。
【図面の簡単な説明】
【００１２】
【図１】２重ロック具（ａ型）の既存施錠具への取付図（斜視図）である。
【図２】２重ロック具（ａ型）の単体、正面図である。
【図３】同上、側面図である。
【図４】２重ロック具（ｂ型）の既存施錠具への取付図（斜視図）である。
【図５】２重ロック具（ｂ型）の単体、斜視図である。
【図６】２重ロック具（ｂ型）の応用例、斜視図である。
【図７】２重ロック具（ｃ型）の既存施錠具への取付図（斜視図）である。
【図８】２重ロック具（ｃ型）の単体、正面図である。
【図９】同上、側面図である。
【図１０】２重ロック具（ｄ型）の未装着状態の既存施錠具、参考図（斜視図）である。
【図１１】２重ロック具（ｄ型）の既存施錠具への取付図（斜視図）である。
【図１２】２重ロック具（ｄ型）の単体、斜視図である。
【図１３】同上の手前に９０度倒した状態での斜視図である。
【符号の説明】
【００１３】
ａ１は、２重ロック具（ａ型）
ａ２は、解錠ハンドル（ａ型）
ａ３は、単純構造施錠具（ａ型）の施錠棒
ｂ１は、２重ロック具（ｂ型）
ｂ１−Ｂは、２重ロック具（ｂ型）の応用例
ｂ２は、解錠ハンドル（ｂ型）
ｂ３は、単純構造施錠具（ｂ型）の施錠棒
ｃ１は、２重ロック具（ｃ型）
ｃ２は、解錠ハンドル（ｃ型）
ｃ３は、単純構造施錠具（ｃ型）の施錠棒
ｄ１は、２重ロック具（ｄ型）
ｄ２−Ｒは、解錠ハンドル−右（ｄ型）
ｄ２−Ｌは、解錠ハンドル−左（ｄ型）
ｄ３は、単純構造施錠具（ｄ型）の施錠棒
【図１】
2009215780.tif 000003
【図２】
2009215780.tif 000004
【図３】
2009215780.tif 000005
【図４】
2009215780.tif 000006
【図５】
2009215780.tif 000007
【図６】
2009215780.tif 000008
【図７】
2009215780.tif 000009
【図８】
2009215780.tif 000010
【図９】
2009215780.tif 000011
【図１０】
2009215780.tif 000012
【図１１】
2009215780.tif 000013
【図１２】
2009215780.tif 000014
【図１３】
2009215780.tif 000015